(57)【要約】      （修正有）【課題】スピーカ装置内に混入する高周波ノイズをスピーカキャビネット或いは音響機器の背面板にコネクタを取り付けるだけで除去し、スピーカキャビネット内の有効スペースを確保し、複数のスピーカ装置間でノイズ除去効果がバラツカないスピーカ装置用コネクタ及びスピーカ装置を得る。【解決手段】高周波ノイズ除去用のフィルタをコネクタ２０と一体に構成するためにフェライト等の磁性体或はセラミックの如き誘電体から成る囲繞体３１をコンタクト３０に囲繞させる。【選択図】        図２
2004342526.tif 000002
【特許請求の範囲】
【請求項１】
基台内にコンタクトを１体に成形させたスピーカ装置用コネクタであって、
上記コンタクトを磁性材或は磁性材を混入した合成樹脂で構成した囲繞体で囲繞させる様に成したことを特徴とするスピーカ装置用コネクタ。
【請求項２】
前記基台の背面側からカップ状の前記囲繞体を配設させたことを特徴とする請求項１記載のスピーカ装置用コネクタ。
【請求項３】
前記スピーカ装置用コネクタを覆う様にシールド手段を配設したことを特徴とする請求項１又は請求項２記載のスピーカ装置用コネクタ。
【請求項４】
前記磁性体がフェライトであることを特徴とする請求項１乃至請求項３記載のいずれか１項記載のスピーカ装置用コネクタ。
【請求項５】
基台内にコンタクトを１体に成形させたスピーカ装置用コネクタであって、
上記コンタクトを誘電体で構成した囲繞体で囲繞させる様に成したことを特徴とするスピーカ装置用コネクタ。
【請求項６】
Ｄ型増幅器で駆動されるスピーカを内蔵したスピーカ装置であって、
上記Ｄ型増幅器の出力コネクタ及び上記スピーカの信号供給用の入力コネクタの少なくとも一つのコネクタ内にノイズ除去用のフィルタを１体に構成させる様に成したことを特徴とするスピーカ装置。
【請求項７】
前記出力コネクタを前記Ｄ型増幅器の出力側の筺体に配設して成ることを特徴とする請求項６記載のスピーカ装置。
【請求項８】
前記入力コネクタを前記スピーカ装置の入力側のスピーカキャビネットに配設して成ることを特徴とする請求項６又は請求項７記載のスピーカ装置。
【請求項９】
前記入出力コネクタの少なくとも一つのコネクタをシールド部材で囲繞させたことを特徴とする請求項６乃至請求項８に記載のいずれか１項記載のスピーカ装置。
【請求項１０】
前記Ｄ型増幅器と前記スピーカ装置の前記入出力コネクタ間を接続するワイヤ及び／又は該入力コネクタと前記スピーカ間を接続するワイヤにコアを挿入し、該ワイヤを該コアに巻回させて成ることを特徴とする請求項６乃至請求項９に記載のいずれか１項記載のスピーカ装置。
【発明の詳細な説明】
【０００１】
【発明の属する技術分野】
本発明はスピーカ装置用コネクタ及びスピーカ装置内のワイヤを伝わって侵入するノイズを除去或は減衰させる様にフィルタを施したスピーカ用コネクタ及びスピーカ装置に関する。
【０００２】
【従来の技術】
従来、オーディオ用の電力増幅器（以下アンプと記す）として、デジタルオーディオ信号をＰＷＭ（パルス幅変調）して、所定の周波数でＰＷＭ信号をスイッチングし、駆動アンプを介して増幅し、オーディオ信号を効率的に増幅するＤ型アンプ（Ｃｌａｓｓ−Ｄ  Ａｍｐｌｉｆｉｅｒ）は消費電力や発熱量が低く、高出力が得られるため広く利用されている。
【０００３】
図５は、この様なＤ型アンプ１を用いたＰＷＭ信号に含まれる高周波成分を除去するためのフィルタ構成を示すものである。
【０００４】
図５に於いて、入力端子８からはＣＤ等の記録媒体を介してデジタル信号が入力される。１は高周波成分等のノイズを多く発生するＤ型アンプを示し、Ｄ型アンプの駆動増幅部で出力されるＰＷＭ信号をＬ１，Ｃ１及びＬ２，Ｃ２で構成されたフィルタ２，３でアナログ信号に復調する。チョークトランスＣＨは１次側のアナログ信号と２次側のアナログ信号を相殺し、アナログ信号として音響機器９の出力端子４，５に出力する。
【０００５】
６は可聴帯域外にカットオフ周波数を有する高域通過濾波器（ＨＰＦ）であり、このＨＰＦ６でフィルタされた高域の高周波成分は反転アンプ７で位相を９０°反転してチョークトランスＣＨの２次側に供給し、１次側の高周波漏話成分をキャンセルさせる様に成している。この様な構成は特許文献１に開示されている。
【０００６】
また、上述の様なＤ型アンプ１を用いたスピーカ装置１０では音響機器９の出力端子４，５とスピーカ装置１０の入力端子１１，１２との間を接続するワイヤ１３内にフェライト等の磁性材で成型したコアリング（フェライト、ビーズ）１４を挿通させるかスピーカ装置１０に内蔵したスピーカ１５とスピーカ装置１０の入力端子１１，１２間にＬＣ型のフィルタ１６等を介在させたりして、Ｄ型アンプ１からスピーカ装置１０に混入する高周波成分のノイズを除去する様にしたフィルタも提案されている。
【０００７】
更に、コアリング１４の他に図６に示す様に、一対の半割体１７ａ，１７ｂから成るフェライト等のコア１７をケース１８内に収納させ、このケース１８を閉じることでコア１７の半割体１７ａ，１７ｂの溝１９が突き合わされ、この半割体１７ａ，１７ｂの溝１９に挿入したワイヤ１３を１ターンだけ巻回させる様に成したフィルタが特許文献２に披瀝されている。
【０００８】
【特許文献１】
特開２００２−１１８４３０号公報（図１）
【特許文献２】
特開平１０−１０６６５５号公報（図１２）
【０００９】
【発明が解決しようとする課題】
上述の図５に示す構成ではＤ型アンプ１の出力段以後に多くの電気部品を必要とし、コストアップと成る。またスピーカ装置１０のキャビネット内にはノイズ除去用のフィルタ１６の他に、図示されていないがネットワーク用のＬＣ回路等が内蔵されているためキャビネット内の有効スペースが削減される。図６に示す様なコア１７をワイヤ１３に巻回させた場合には複数のスピーカ装置１０毎の取付け位置や取り付け状態が一定せず、夫々のスピーカ装置毎のバラツキが大きくなってしまう課題を有していた。
【００１０】
本発明は叙上の課題を解決するために成されたもので、発明が解決しようとする課題はフィルタをコネクタのコンタクトと一体化させる様に成し、Ｄ型アンプから放射される高周波ノイズを容易にカットする様にしたので、スピーカ装置の入口やＤ型アンプ１の出力でノイズのカットが可能なスピーカ装置用コネクタ及びスピーカ装置を得ることができる。
【００１１】
【課題を解決するための手段】
本発明のスピーカ装置用コネクタ及びスピーカ装置はスピーカ装置内に混入する高周波ノイズをコネクタ内に設けたフィルタで除去或は減衰させる様に成したものである。
【００１２】
本発明のスピーカ装置用コネクタは基台内にコンタクトを１体に成形させたスピーカ装置用コネクタであって、コンタクトを磁性材或は磁性材を混入した合成樹脂で構成した囲繞体で囲繞させる様に成したものである。
【００１３】
本発明のスピーカ装置はＤ型アンプで駆動されるスピーカを内蔵したもので、Ｄ型アンプからスピーカへの信号供給用のコネクタ内にノイズ除去用のフィルタを１体に構成させる様に成したものである。
【００１４】
斯かる、本発明のスピーカ装置用コネクタ及びスピーカ装置に依れば単にスピーカキャビネットに入力コネクタ或いはＤ型アンプに出力コネクタを取り付けるだけでスピーカ装置内に混入する高周波ノイズを除去或は減衰が可能であり、複数のスピーカ装置間のノイズ除去効果のバラツキが解消され、スピーカキャビネット内のスペースも充分に確保することが可能となる。
【００１５】
【発明の実施の形態】
以下、本発明のスピーカ装置用コネクタ及びスピーカ装置を図１乃至図４に基づいて詳記する。図１は本発明のスピーカ装置用コネクタ及びスピーカ装置の全体的等価回路図、図２は本発明の１形態例のコネクタ部分の一部側断面図、図３は本発明の他の形態例を示すコネクタ部の側断面図、図４は本発明の更に他の形態例を示すコネクタ部の１部側断面及び磁性材及び誘電体の傾斜図である。尚図１乃至図４に於いて、図５及び図６との対応部分には同一符号を付して重複説明を省略する。
【００１６】
図１に於いて、ＣＤ等の記録媒体からデジタルオーディオデータを入力端子８に入力し、ＰＷＭされたデータをスイッチングし、Ｄ型アンプ１に供給する。図示しないが必要に応じて低域通過濾波回路（ＬＰＦ）を介して、アナログ信号と成し、Ｄ型アンプ１を含む音響機器９（図５参照）の出力端子４，５で構成されるコネクタ２０を介してフェライト等のコアリング１４を挿通したワイヤ１３を経てスピーカ装置１０の入力端子１１，１２にアナログ信号を供給する。
【００１７】
スピーカ装置１０のスピーカキャビネット２３内のバッフルボードにはスピーカ１５が固定され、背面板２４に入力端子１１，１２となるコネクタ２０が配設されている。このコネクタ２０は後述するが通常、スピーカキャビネット２３の入力コネクタ或いはＤ型アンプ１の筺体に取り付けられる出力コネクタに広く利用されているＡＴ型端子、ピンジャック形式のコネクタ、ワイヤを挟着保持する各種接続具、丸型，角型のオーディオ用コネクタを包含する。
【００１８】
例えばコネクタ２０内には接触片或は接触ピンを含むコンタクトを囲繞する様にフェライト等の磁性材からなる円筒状のコアリングの囲繞体によってインダクタンスＬ４，Ｌ５を形成させ更に、接地電位にあるシールドケース２２との間で生ずるストレーキャパシタンスＣ４，Ｃ５によってＬＰＦを形成し、所定の周波数以上の高域周波数ノイズをカットする様に成されている。
【００１９】
図２は上述のフィルタ２１と１体化されたコネクタ２０の１形態例を示すものであり、単線用のピン型のプラグ（接栓）２５及び単線用ジャック（接栓座）２６より構成されたコネクタ２０はスピーカキャビネット２３の背面板２４に穿った透孔２７の内面側にネジ等を介して固定されている。
【００２０】
ジャック２６は前面にフランジ部２８と円筒状のシェルと成る基台２９を合成樹脂等で１体に成形し、ベリリウム等で形成したレセプタクルコンタクト３０を基台２９のフランジ部２８の略中央に穿った透孔に挿入固定する。
【００２１】
基台２９の円筒状の内径内に突出したレセプタクルコンタクト３０の外周を囲繞する様にフェライト、或は合成樹脂材の中にフェライト等の磁性材粉を混合した略円筒状の囲繞体３１を挿入固定させリング３３等で基台２９の後部を塞ぎ、レセプタクルコンタクト３０の後部に形成したラグ３２にスピーカ接続用のワイヤ３４を半田付けする。ワイヤ３４には必要に応じてコアリング３５を挿通させて、ノイズフィルタを構成させてもよい。この場合、ワイヤ３４の所定寸法位置に正しく固定する。シールドケース２２も必要に応じて形成すればよい。
【００２２】
図３は２ピン構造のコネクタ２０を示すもので、本例ではプラグ（接栓）２５をスピーカキャビネット２３の背面板２４又は図５に示す音響機器９の筺体の背面板２４ａ或いはＤ型アンプ１のシャーシの背面板２４ｂに穿った透孔２７の内側にネジ等で固定した場合である。
【００２３】
コネクタ２０はフランジ部２８の前後にシェルとなる円筒状の前後部基台２９ａ及び２９ｂを合成樹脂等で１体形成し、後部基台２９ｂの内径に２本のピンコンタクト３６ａ，３６ｂを挿通固定した絶縁性のリング３７を挿入固定し、フランジ部２８に穿った２個の透孔からピンコンタクト３６ａ，３６ｂの先端を前部基台２９ａ内に突出させる。
【００２４】
リング３７の背面にはカップ状に形成したピンコンタクト３６ａ，３６ｂに対応した互いに短絡しない様に２個の透孔３８ａ，３８ｂを穿った、フェライト等の磁性体或はフェライト等の磁性体粉末を合成樹脂材に混入して成形した囲繞体３１をリング３７及び後部基台２９ｂを覆う様に囲繞させ、更に金属性シールドケース２２を必要に応じてコネクタ２０を覆う様に固定させる。
【００２５】
図４（Ａ）は通常のＡＴ型端子から構成されたコネクタ２０をスピーカキャビネット２３の背面板２４或は背面板２４に固定した端子取り付け基板（図示せず）又は図５に示す音響機器９の筺体の背面板２４ａ或いはＤ型アンプ１のシャーシの背面板２４ｂに穿った透孔２７に立設させたものであり、本例の場合はコネクタ（以下端子と記す）２０を背面板２４，２４ａ，２４ｂに固定する端子ネジを固定するナット及びワッシャ４１と背面板２４、２４ａ，２４ｂ間にリング状の囲繞体４２を介在させる。この囲繞体４２はフェライト等の磁性体或はフェライト等の磁性体粉末を合成樹脂材に混入して成形し、図４（Ｂ）に示す様に中心に透孔４３を穿ちネジ（コンタクト３０，３６ａ，３６ｂに対応）４０に挿通させてナット及びワッシャ４１で固定させればインダクタンスＬ０が形成される。
【００２６】
又、囲繞体４２には図４（Ｂ）に示す様に透孔４３と同心円状のリング状導電部４４を形成する。またこのリング状の囲繞体４２はセラミックス等を焼結させた誘電体で形成することで透孔４３とリング状導電部４４間に静電容量のコンタクトＣ０を形成させることでインピーダンスの低い負荷の場合は、リング状導電部４４を接地電位に落せば高周波ノイズ成分をパスさせることが出来る。
【００２７】
又、図４（Ｃ）の様にフェライト等のビーズコア４５を囲繞体とし、ネジ４０内に挿通し背面板２４、２４ａ，２４ｂとワッシャ及びナット４１間に固定させればインダクタンスＬ０が形成され、ノイズフィルタを形成可能となる。
【００２８】
上述の構成では各種コネクタをスピーカキャビネット２３の背面板２４に固定させた入力コネクタ２０について主に説明したが、これら各種コネクタ２０をＤ型アンプ１の出力側のシャーシや筺体の背面板２４ａ，２４ｂに固定させる様にして、Ｄ型アンプ１からスピーカ１５への信号供給時に出力コネクタ側でノイズを除去するフィルタとしても良い。又、スピーカ装置用の入力コネクタ２０とＤ型アンプ１の出力側の筺体側に設けた出力コネクタ２０の両方にこれらのフィルタを設ける様にしても良い。
【００２９】
本発明のスピーカ装置用コネクタ及びスピーカ装置に依れば、スピーカ装置１０又はＤ型アンプ１の出力側の筺体にコネクタ２０を取り付けるだけで高周波ノイズ除去の対策を施す必要がなく、Ｄ型アンプ１の様に高周波ノイズを多く発生するスピーカ装置１０のコネク２０及びスピーカ１５に用いて極めて有効と成る。
【００３０】
尚、本発明では音響機器９の出力端子４、５とスピーカ装置１０の入力端子１１，１２間を接続するワイヤ１３及びスピーカ装置１０のコネクタ２０とスピーカ１５を接続するワイヤ３４にコアリング１４を挿入させて２段乃至３段のノイズフィルタを構成すること及びシールドケース２２を必要に応じて設けることで、ノイズ除去効果をより高めることとできる。
【００３１】
【発明の効果】
本発明のスピーカ装置用コネクタ及びスピーカ装置に依れば単にスピーカキャビネット又はＤ型アンプのシャーシや筺体にコネクタを取り付けるだけで複数のスピーカ装置間のノイズ除去効果のバラツキが解消され、スピーカキャビネット内のスペースも充分に確保することが可能となる。
【図面の簡単な説明】
【図１】本発明のスピーカ装置用コネクタ及びスピーカ装置の全体的等価回路図である。
【図２】本発明のスピーカ装置用コネクタの１形態例を示すコネクタ部分の一部側断面図である。
【図３】本発明のスピーカ装置用コネクタの他の形態例を示すコネクタ部の側断面図である。
【図４】本発明のスピーカ装置用コネクタの更に他の形態例を示すコネクタの一部を断面とする側断面図及び囲繞体の斜視図である。
【図５】従来のスピーカ装置用コネクタ及びスピーカ装置のノイズフィルタ構成を示す回路図である。
【図６】従来のノイズフィルタ用コアを示す斜視図である。
【符号の説明】
１‥‥Ｄ型アンプ、１０‥‥スピーカ装置、１５‥‥スピーカ、２０‥‥コネクタ、２１‥‥フィルタ、２５‥‥プラグ、２６‥‥ジャック、２９‥‥基台、２９ａ，２９ｂ‥‥前後部基台、３０‥‥レセプタクルコンタクト、３１，４２，４５‥‥囲繞体
【図１】
2004342526.tif 000003
【図２】
2004342526.tif 000004
【図３】
2004342526.tif 000005
【図４】
2004342526.tif 000006
【図５】
2004342526.tif 000007
【図６】
2004342526.tif 000008